(57)【要約】【課題】利便性を維持しつつ、電子機器の充電用コイルの中心と充電器側コイルの中心との間のズレ量の低減に資する表示技術を提供する。【解決手段】充電用コイル８２ａは外部の充電器側コイルからの磁界が鎖交することで誘導起電力を発生させる。電池は当該誘導起電力によって充電される。表示装置は表示領域２ａを有し、平面視で表示領域２ａの輪郭内に充電用コイル８２ａの中心と一致する位置が存在する。制御部は、誘導起電力を用いた電池の充電が行われた状態において、操作部に操作があったときに、充電用コイル８２ａの中心を示す情報２２ｂを当該位置に有する充電画面を、表示領域２ａに表示する。【選択図】図１１
2015188274.tif 000002
【特許請求の範囲】
【請求項１】
電子機器であって、
外部の充電器側コイルからの磁界が鎖交することで誘導起電力を発生させる充電用コイルと、
前記誘導起電力によって充電される電池と、
表示領域を有し、平面視において、前記表示領域の輪郭内に前記充電用コイルの中心と一致する位置が存在する表示装置と、
操作部と、
前記誘導起電力を用いた前記電池の充電が行われた状態において、前記操作部に操作があったときに、前記充電用コイルの中心を示す第１情報を前記位置に有する充電画面を、前記表示領域に表示する制御部と
を備える、電子機器。
【請求項２】
前記充電画面には、前記充電用コイルの中心を前記充電器側コイルの中心と一致させることを、使用者に促す第２情報が含まれる、請求項１に記載の電子機器。
【請求項３】
前記充電画面には、前記充電器側コイルの電力に対する前記充電用コイルの電力の比たる伝送効率を示す第３情報が含まれる、請求項１または２に記載の電子機器。
【請求項４】
前記充電画面には、前記誘導起電力を用いた前記電池の充電が行われていることを示す第４情報が含まれる、請求項１から３のいずれか一つに記載の電子機器。
【請求項５】
前記制御部は、前記誘導起電力を用いた充電を行うときに、前記誘導起電力を用いて充電が行なわれていることを示す文字および図形を前記表示領域の一部のみに表示し、所定期間経過後に前記図形の表示を維持しつつ前記文字の表示を終了する、請求項１から４のいずれか一つに記載の電子機器。
【請求項６】
外部の接触充電器と着脱可能かつ電気的に接続し、前記接触充電器から電圧が入力される充電用コネクタと、
前記制御部の制御を受けて、前記充電用コネクタからの前記電圧と前記誘導起電力との一方を選択し、前記一方を用いて前記電池を充電する選択部と
を備え、
前記制御部は、前記充電用コネクタに前記電圧が入力され、かつ、前記誘導起電力が発生しているときに、前記選択部に前記充電用コネクタからの前記電圧を選択させ、
前記制御部は、前記表示領域に前記充電画面が表示された状態で、前記充電用コネクタに前記電圧が入力されたときに、前記充電画面の表示を終了する、請求項１から５のいずれか一つに記載の電子機器。
【請求項７】
前記制御部は、前記表示領域に表示が行なわれる第１モードにおいては、前記誘導起電力を用いた前記電池の充電が行われ、かつ、前記操作部に操作があったときに、前記充電画面を表示し、前記第１モードよりも消費電力が低い第２モードにおいては、前記誘導起電力を用いた前記電池の充電が行われるときに、前記充電画面を表示する、請求項１から６のいずれか一つに記載の電子機器。
【請求項８】
前記制御部は、消費電力が前記第２モードよりも高く前記第１モードよりも低い第３モードにおいて、前記操作を受けても前記充電画面の表示を行なわない、請求項７に記載の電子機器。
【請求項９】
外部の充電器側コイルからの磁界が鎖交することで誘導起電力を発生させる充電用コイルと、
前記誘導起電力によって充電される電池と、
表示領域を有し、平面視において、前記表示領域の輪郭内に前記充電用コイルの中心と一致する位置が存在する表示装置と、
操作部と
を備える電子機器における表示方法であって、
前記誘導起電力を用いた前記電池の充電が行われた状態において、前記操作部に操作があったときに、前記充電用コイルの中心を示す文字または図形を前記位置に配置する充電画面を、前記表示領域に表示する、電子機器における表示方法。
【発明の詳細な説明】
【技術分野】
【０００１】
本発明は、電子機器および電子機器における表示方法に関する。
【背景技術】
【０００２】
特許文献１にも記載されているように、従来からコイルを備える電子機器に関して様々な技術が提案されている。特許文献１では、第１コイルに発生する誘導起電力を用いて電池（バッテリー）を充電する。この第１コイルの誘導起電力は、外部の充電器に設けられた第２コイルからの磁束が第１コイルに鎖交することで、発生する。
【０００３】
また電子機器は表示装置を有しており、使用者に対して種々の情報を表示する。
【先行技術文献】
【特許文献】
【０００４】
【特許文献１】特開２００６−３１１７１２号公報
【発明の概要】
【発明が解決しようとする課題】
【０００５】
第１コイルの中心と第２コイルの中心がずれると、第１コイルに鎖交する磁束の量が低減するので、誘導起電力の大きさが低減する。これは望ましくない。
【０００６】
そこで、第１コイルの中心と第２コイルの中心との間のズレ量の低減に資する表示技術を提供する。
【０００７】
その一方で、電子機器の表示装置に表示される表示画面を変更すると、使用者が要望する表示画面とは別の表示画面が表示される場合もあり、使用者の利便性という点では好ましくない。
【０００８】
そこで、本発明は上述した点に鑑みて成されたものであり、利便性を維持しつつ、電子機器の充電用コイルの中心と充電器側コイルの中心との間のズレ量の低減に資する表示技術を提供することを目的とする。
【課題を解決するための手段】
【０００９】
上記課題を解決するため、本発明にかかる電子機器の一態様は、外部の充電器側コイルからの磁界が鎖交することで誘導起電力を発生させる充電用コイルと、前記誘導起電力によって充電される電池と、表示領域を有し、平面視において、前記表示領域の輪郭内に前記充電用コイルの中心と一致する位置が存在する表示装置と、操作部と、前記誘導起電力を用いた前記電池の充電が行われた状態において、前記操作部に操作があったときに、前記充電用コイルの中心を示す第１情報を前記位置に有する充電画面を、前記表示領域に表示する制御部とを備える。
【００１０】
また、本発明にかかる電子機器の一態様は、前記充電画面には、前記充電用コイルの中心を前記充電器側コイルの中心と一致させることを、使用者に促す第２情報が含まれる。
【００１１】
また、本発明にかかる電子機器の一態様は、前記充電画面には、前記充電器側コイルの電力に対する前記充電用コイルの電力の比たる伝送効率を示す第３情報が含まれる。
【００１２】
また、本発明にかかる電子機器の一態様は、前記充電画面には、前記誘導起電力を用いた前記電池の充電が行われていることを示す第４情報を含む。
【００１３】
また、本発明にかかる電子機器の一態様は、前記制御部は、前記誘導起電力を用いた充電を行うときに、前記誘導起電力を用いて充電が行なわれていることを示す文字および図形を前記表示領域の一部のみに表示し、所定期間経過後に前記図形の表示を維持しつつ前記文字の表示を終了する。
【００１４】
また、本発明にかかる電子機器の一態様は、外部の接触充電器と着脱可能かつ電気的に接続し、前記接触充電器から電圧が入力される充電用コネクタと、前記制御部の制御を受けて、前記充電用コネクタからの前記電圧と前記誘導起電力との一方を選択し、前記一方を用いて前記電池を充電する選択部とを備え、前記制御部は、前記充電用コネクタに前記電圧が入力され、かつ、前記誘導起電力が発生しているときに、前記選択部に前記充電用コネクタからの前記電圧を選択させ、前記制御部は、前記表示領域に前記充電画面が表示された状態で、前記充電用コネクタに前記電圧が入力されたときに、前記充電画面の表示を終了する。
【００１５】
また、本発明にかかる電子機器の一態様は、前記制御部は、前記表示領域に表示が行なわれる第１モードにおいては、前記誘導起電力を用いた前記電池の充電が行われ、かつ、前記操作部に操作があったときに、前記充電画面を表示し、前記第１モードよりも消費電力が低い第２モードにおいては、前記誘導起電力を用いた前記電池の充電が行われるときに、前記充電画面を表示する。
【００１６】
また、本発明にかかる電子機器の一態様は、消費電力が前記第２モードよりも高く前記第１モードよりも低い第３モードにおいて、前記操作を受けても前記充電画面の表示を行なわない。
【００１７】
また、本発明にかかる電気機器における表示方法の一態様は、外部の充電器側コイルからの磁界が鎖交することで誘導起電力を発生させる充電用コイルと、前記誘導起電力によって充電される電池と、表示領域を有し、平面視において、前記表示領域の輪郭内に前記充電用コイルの中心と一致する位置が存在する表示装置と、操作部とを備える電子機器における表示方法であって、前記誘導起電力を用いた前記電池の充電が行われた状態において、前記操作部に操作があったときに、前記充電用コイルの中心を示す文字または図形を前記位置に配置する充電画面を、前記表示領域に表示する。
【発明の効果】
【００１８】
本発明によれば、利便性を維持しつつ、電子機器の充電用コイルの中心と充電器側コイルの中心との間のズレ量の低減に資する表示を表示できる。
【図面の簡単な説明】
【００１９】
【図１】実施の形態に係る電子機器の外観を示す前面図である。
【図２】電子機器の電気的な構成の一例を概略的に示すブロック図である。
【図３】非接触充電を説明するための図である。
【図４】電子機器と非接触充電器との一例を概略的に示す断面図である。
【図５】充電用コイルと充電器側コイルのずれを説明するための図である。
【図６】充電用コネクタを用いた充電を説明するための図である。
【図７】充電部と充電検出部の内部構成の一例を概略的に示すブロック図である。
【図８】制御部の動作の一例を示すフローチャートである。
【図９】ピクト表示領域の表示の一例を模式的に示す図である。
【図１０】通知画面の一例を模式的に示す図である。
【図１１】充電画面の一例を模式的に示す図である。
【図１２】充電画面の一例を模式的に示す図である。
【図１３】電子機器の電気的な構成の一例を概略的に示すブロック図である。
【図１４】充電画面の一例を模式的に示す図である。
【図１５】制御部の動作の一例を示すフローチャートである。
【図１６】通常充電用画面の一例を模式的に示す図である。
【発明を実施するための形態】
【００２０】
第１の実施の形態．
＜電子機器の外観＞
図１は、第１の実施の形態に係る電子機器１の外観を示す前面図である。第１の実施の形態に係る電子機器１は、例えば、スマートフォン等の携帯電話機であって、基地局およびサーバー等を通じて他の通信装置と通信することが可能である。電子機器１は例えば通話または電子メールなどを行なうことができる。
【００２１】
図１に示されるように、電子機器１の形状は、平面視において略長方形の板状形状となっている。電子機器１の外面（表面）は、図１に示されるように、カバーパネル２と筐体３とによって構成されている。
【００２２】
カバーパネル２は、例えば板状であって、平面視において略長方形を成している。カバーパネル２は、図１，２に示されるように、電子機器１の前面部分における、周縁部分以外の部分を構成している。カバーパネル２は図１に示すように平面形状を有していても良く、或いは曲面形状を有していてもよい。
【００２３】
カバーパネル２は、透明の材料で形成されている。カバーパネル２の材料には、例えば、透明のサファイア、透明のガラスあるいは透明のアクリル樹脂が採用される。後述する表示装置の表示領域２ａに表示された文字、記号、図形、映像等の各種情報は、カバーパネル２を通して使用者に視認される。また表示領域２ａを取り囲む周縁領域においては、例えばフィルム等が貼られることで黒色となっており、表示装置による表示が使用者に視認されにくい領域となっている。
【００２４】
図１の例示では、カバーパネル２の上端部には、前面側撮像部１６０が備えられている。また、カバーパネル２の内側主面（電子機器１の内部側の主面）には、後述するタッチパネルが貼り付けられている。使用者は、表示領域２ａを操作子（指等）で操作することによって、電子機器１に対して各種指示を与えることができる。
【００２５】
筐体３は、電子機器１の前面部分の周縁部分、側面部分および裏面部分を構成している。筐体３は、例えば、樹脂で形成されている。筐体３を形成する樹脂としては、例えば、ポリカーボネート樹脂、ＡＢＳ樹脂あるいはナイロン系樹脂が採用される。筐体３は、１つの部材のみで構成されても良いし、複数の部材が組み合わされて構成されても良い。
【００２６】
図１の例示では、電子機器１の側面部分（例えば上側の側面部分）には、操作キー５０が備えられている。操作キー５０は、例えば、電子機器１の起動を行うとき、或いは電子機器１の機能を停止するときに使用者に押下される。操作キー５０は例えばハードウェアキーである。なお図１の例示では、操作キー５０を見やすくするために、上方に突出した態様で図示している。しかるに、操作キー５０は電子機器１の側面部分に埋め込み配置されていても良い。言い換えれば、操作キー５０の表面が電子機器１の側面部分の表面よりも内部側に位置してもよい。これにより、外部の部材が意図せず操作キー５０と接触して、これを押下すること（いわゆる誤操作）を抑制できる。他の図では操作キー５０が側面部分に埋め込み配置される態様で電子機器１を図示する。
【００２７】
図１の例示では、ハードウェアキーとしての操作キー５２も表示されている。使用者が操作キー５２に対する操作を行うと、操作キー５２に応じた処理が行なわれる。操作キー５２はソフトウェアキーであっても良い。
【００２８】
また、図１の例示では、表示領域２ａの一部（例えば上部）には、ピクト表示領域２ｂが設けられる。ピクト表示領域２ｂには、例えば無線の電波状態、電池の充電量（バッテリー残量）または各種設定（例えばマナーモードなど）を示す図形、および、時刻などが表示される。図１の例示では、電池の充電量を示す図形２２ｃが図示されている。このピクト表示領域２ｂ以外の主領域２ｃには、例えばメインプログラムによってホーム画面（不図示）なども表示される。ホーム画面には、例えば各種のアプリケーションプログラムのアイコンが示される。このアイコンが使用者によって操作されたことをタッチパネルが検出すると、操作されたアイコンに対応するアプリケーションプログラムが実行される。これにより、当該アプリケーションプログラムに応じた表示画面が表示領域２ａに表示されることとなる。アプリケーションプログラムとしては、例えば電話アプリケーション、電子メールプリケーションおよびインターネットブラウザアプリケーションなどが挙げられる。
【００２９】
またカバーパネル２の上端部にはＬＥＤ表示部４０も設けられている。ＬＥＤ表示部４０は発光素子（例えばＬＥＤ：発光ダイオード）を有しており、この発光素子の発光により使用者へ種々の情報を報知する。例えば不在着信、未読の電子メールの受信などがあったときに、発光素子を発光させる。これにより、使用者に電子機器１の操作を促す。或いは、電子機器１は後述する電池を有しており、この電池の充電時において発光素子を発光させることで、充電中であることを使用者に表示する。不在着信等の通知と、充電中の表示とは、例えば発光素子の発光態様（点滅／点灯または発光色）で区別されると良い。
【００３０】
＜電子機器の電気的構成＞
図２は、電子機器１の電気的構成を示すブロック図である。図２に示されるように、電子機器１には、制御部１０、無線通信部１１０、表示装置２０、タッチパネル３０、ＬＥＤ表示部４０、操作キー５０、電池６０、充電検出部７０、充電部８０、マイク１５０、前面側撮像部１６０、裏面側撮像部１７０、スピーカー１８０および圧電振動素子１９０が設けられている。電子機器１に設けられた、これらの構成要素は、電子機器１の筐体３内に収められている。
【００３１】
制御部１０は、ＣＰＵ（Central Processing Unit）１０１、ＤＳＰ（Digital Signal Processor）１０２および記憶部１０３等を備えている。制御部１０は、電子機器１の他の構成要素を制御することによって、電子機器１の動作を統括的に管理する。記憶部１０３は、ＲＯＭ（Read Only Memory）およびＲＡＭ（Random Access Memory）等で構成されている。記憶部１０３には、電子機器１を制御するための、具体的には電子機器１が備える無線通信部１１０、表示装置２０等の各構成要素を制御するための制御プログラムであるメインプログラムおよび複数のアプリケーションプログラム（例えば通話、電子メールおよびインターネットなどのプログラム）等が記憶されている。制御部１０の各種機能は、ＣＰＵ１０１およびＤＳＰ１０２が記憶部１０３内の各種プログラムを実行することによって実現される。
【００３２】
無線通信部１１０は、アンテナ１１１を有している。無線通信部１１０は、電子機器１とは別の携帯電話機あるいはインターネットに接続されたウェブサーバ等の通信装置との通信信号の送受信を、基地局等を介してアンテナ１１１を用いて行う。
【００３３】
表示装置２０は、例えば、液晶ディスプレイあるいは有機ＥＬディスプレイである。前述した通り、表示装置２０によって表示された各種情報は、表示領域２ａを通して電子機器１の外部から視認される。
【００３４】
タッチパネル３０は、例えば、投影型静電容量方式のタッチパネルである。タッチパネル３０は、カバーパネル２の内側主面に貼り付けられている。タッチパネル３０は、互いに対向配置されたシート状の二つの電極センサを備えている。使用者が指等の操作子で表示領域２ａに対して接触すると、タッチパネル３０における、当該操作子と対向する部分の静電容量が変化する。そして、タッチパネル３０は、静電容量の変化に応じた電気的な信号を制御部１０に出力する。このように、タッチパネル３０は、操作子の表示領域２ａに対する接触を検出することができる。
【００３５】
操作キー５０は、押下されることで、電気的な指示信号を制御部１０に出力する。操作キー５０およびタッチパネル３０はいずれも電子機器１への操作を受け付けるという点で共通する。これらは、課題を解決する手段の欄でいう操作部の一例に相当する。
【００３６】
マイク１５０には、通話等の際に使用者の音声等が入力され、入力された音声等を電気的な信号に変換して制御部１０に出力する。スピーカー１８０は、制御部１０から入力される電気的な音信号を音に変換して出力することで、電子機器１から離れた場所に存在する使用者に着信音などを提供する。
【００３７】
圧電振動素子１９０は、カバーパネル２の内側主面に貼り付けられている。圧電振動素子１９０は、制御部１０から与えられる駆動電圧によって振動させられる。制御部１０は、音信号に基づいて駆動電圧を生成し、当該駆動電圧を圧電振動素子１９０に与える。圧電振動素子１９０が、制御部１０によって音信号に基づいて振動させられることによって、カバーパネル２が音信号に基づいて振動する。その結果、カバーパネル２から使用者に受話音が伝達される。この受話音の音量は、使用者がカバーパネル２に耳を近づけた際に適切に聞こえる程度の音量となっている。
【００３８】
図２の例示では、使用者への受話音の伝達のために圧電振動素子１９０を採用しているものの、圧電振動素子１９０の代わりに、例えば、制御部１０からの電気的な音信号を音に変換して出力するダイナミックスピーカーを採用してもよい。ダイナミックスピーカーを採用する場合には、カバーパネル２もしくは筐体３に、レシーバ穴が設けられる。ダイナミックスピーカーから出力される音は、カバーパネル２もしくは筐体３に設けられるレシーバ穴から外部に出力される。レシーバ穴から出力される音の音量は、スピーカー１８０から出力される音の音量よりも小さくなっている。
【００３９】
ＬＥＤ表示部４０は上述のように発光素子を有しており、その発光が制御部１０によって制御される。前面側撮像部１６０および裏面側撮像部１７０は、静止画像および動画像を撮像する。裏面側撮像部１７０は電子機器１の裏面側に設けられる。
【００４０】
電池６０はいわゆるバッテリーであり、電子機器１の動作電源として機能する。電池６０は、電子機器１において電源を必要とする各部（図２に例示する各部）へと直流電源を供給する。
【００４１】
充電部８０は外部の充電器から電力を受け取り、これを用いて電池６０を充電する。より具体的には充電部８０は非接触充電部８２と充電用コネクタ（接続部）８４とを有している。非接触充電部８２および充電用コネクタ８４は後に述べるように、それぞれ非接触充電器および接触充電器から電力を受け取り、それぞれ電池６０を充電することができる。非接触充電部８２および充電用コネクタ８４の一方が制御部１０によって選択されて、選択された一方が電池６０を充電する。
【００４２】
充電検出部７０は充電部８０が充電器から電力を受け取っているか否かを検出する。より具体的には、非接触充電部８２が非接触充電器から電力を受け取っているか否か、および、充電用コネクタ８４が接触充電器から電力を受け取っているか否かを検出する。その検出結果は制御部１０に入力される。
【００４３】
制御部１０は充電検出部７０の検出結果に応じて、非接触充電部８２および充電用コネクタ８４の一方を選択して、これを用いて電池６０を充電する。
【００４４】
以下では、図３〜図５を用いて、非接触充電部８２による電池６０の充電を説明し、図６を用いて、充電用コネクタ８４による電池６０の充電を説明し、図７を用いて充電部８０および充電検出部７０の内部構成の具体的な一例について説明する。
【００４５】
図３では、電子機器１と非接触充電器８との一例が斜視図で示されている。非接触充電部８２は充電用コイル８２ａを備えている。充電用コイル８２ａは、所定の巻回軸の周りを巻回する導線を有しており、その巻回軸が表示領域２ａに略直交する姿勢で配置されている。
【００４６】
非接触充電器８は例えば略平板状の形状を有しており、その内部に充電器側コイル８ａを備えている。充電器側コイル８ａは、所定の巻回軸の周りを巻回する導線を有しており、その巻回軸が非接触充電器８の主面に略直交する姿勢で配置される。非接触充電器８は不図示の電源に接続されており、当該電源を用いて充電器側コイル８ａに電流（例えば交流電流）を流すことができる。これにより、充電器側コイル８ａは磁界（例えば交番磁界）を発生する。
【００４７】
使用者は、充電用コイル８２ａを充電器側コイル８ａに対向させるように、電子機器１を非接触充電器８の主面の上に載置する。図４は電子機器１を非接触充電器８の主面に載置したときのこれらの断面の一例を概念的に示している。この状態において、充電器側コイル８ａから発生した磁束は充電用コイル８２ａに鎖交する。これにより、充電用コイル８２ａには誘導起電力が発生する。つまり、充電用コイル８２ａは充電器側コイル８ａからの磁界を受けたときに、誘導起電力を発生させる。この誘導起電力は交流電圧である。非接触充電部８２は後に述べるように、当該誘導起電力を整流して電池６０を充電する。
【００４８】
以上のように、非接触充電部８２は非接触充電器８との磁気的な接続により電力を受け取って電池６０を充電する。つまりこの充電では、電子機器１と非接触充電器８との電気的な接続を必要としない。よって、このような充電方法は非接触充電またはワイヤレス充電と呼ばれる。或いは電磁誘導を用いて充電が行なわれることから、この充電方法は電磁誘導充電とも呼ばれる。
【００４９】
充電用コイル８２ａが充電器側コイル８ａから受け取る電力の効率（伝送効率）を向上させるために、非接触充電部８２は磁性シート（不図示）を備えていても良い。なおここでいう伝送効率は、充電器側コイル８ａの電力に対する充電用コイル８２ａの電力の比である。磁性シートは空気よりも高い透磁率を有する材料によって形成される。充電用コイル８２ａは、その巻回軸が当該磁性シートに略直交する姿勢で、当該磁性シートの一方の面に設けられる。磁性シートの透磁率は高いので、磁束の量を増大することができる。ひいては充電用コイル８２ａの誘導起電力を増大できる。逆にいえば、充電用コイル８２ａで必要な電圧を発生させるのに要する充電器側コイル８ａの電力を低減できる。なお磁性シートを設けることで、充電用コイル８２ａを通る磁束が外側に漏れることも抑制できる。
【００５０】
図４の例示では、電子機器１の裏面１ｂを非接触充電器８に向けて、電子機器１を非接触充電器８に載置する。よって図４の例示では、充電用コイル８２ａを、筐体３のうち裏面１ｂ側の部分に貼り付けている。これにより、充電用コイル８２ａを充電器側コイル８ａに近づけることができる。このように充電用コイル８２ａと充電器側コイル８ａとの間の距離を短縮することで、充電用コイル８２ａに有効に鎖交する磁束の量を向上できる。したがって充電用コイル８２ａの誘導起電力の大きさを向上でき、ひいては伝送効率を向上することができる。
【００５１】
また図５に示すように、平面視において、充電用コイル８２ａの中心Ｐ１および充電器側コイル８ａの中心Ｐ２がずれていれば、そのズレ量（距離）に応じて、充電用コイル８２ａに有効に鎖交する磁束の量が低減する。つまり、この距離が長いほど、充電用コイル８２ａに発生する誘導起電力が低減するのである。これにより、伝送効率が低減する。よって、平面視において、充電用コイル８２ａの中心Ｐ１と充電器側コイル８ａの中心Ｐ２との間の距離は短いことが望ましい。
【００５２】
本願では、後に説明するように、充電用コイル８２ａの中心Ｐ１と充電器側コイル８ａの中心Ｐ２との間の距離の低減に資する表示技術を提供する。その前提として、充電用コイル８２ａは、平面視においてその中心（巻回軸）が表示領域２ａの輪郭の内部に位置するように、配置される（図３参照）。逆にいえば、表示領域２ａは平面視において充電用コイル８２ａの中心と一致する位置を含む。この意義については後の説明から明らかとなる。なお図３では、互いに直交する仮想線（二点鎖線）の交点が充電用コイル８２ａの中心Ｐ１を示している。
【００５３】
図６は、充電用コネクタを用いて電池を充電する方法を説明するための図である。電子機器１の例えば側面部分（例えば下側の側面部分）には充電用コネクタ８４が設けられており、この充電用コネクタ８４には、接触充電器９が電気的に接続される。接触充電器９は充電用コネクタ８４に対して着脱可能である。接触充電器９は、例えば電線９２と、電線の一端に設けられる端子９４とを有しており、当該端子９４が充電用コネクタ８４と電気的に接続される。接触充電器９は例えばＡＣアダプタ（不図示）を有しており、ＡＣアダプタは例えば交流電源からの交流電圧を整流する。整流後の直流電圧は電線９２および端子９４を介して充電用コネクタ８４に入力される。充電用コネクタ８４に入力される電圧は電池６０に印加されて、電池６０が充電される。
【００５４】
図７は充電部８０と充電検出部７０との具体的な内部構成の一例を示すブロック図である。充電部８０は例えば、充電用コネクタ８４と、非接触充電部８２と、選択部８６と、電圧調整部８８とを備えている。非接触充電部８２は充電用コイル８２ａと整流部８２ｂとを備えている。充電用コイル８２ａは上述のように非接触充電器８からの磁界を受けて誘導起電力を発生させる。充電用コイル８２ａからの誘導起電力（交流電圧）は整流部８２ｂに入力される。整流部８２ｂは誘導起電力を整流し、整流後の直流電圧を出力する。
【００５５】
選択部８６は制御部１０の制御を受けて、充電用コネクタ８４からの電圧および充電用コイル８２ａからの誘導起電力の一方を選択し、当該一方を用いて電池６０を充電する。例えば選択部８６はスイッチであり、充電用コネクタ８４の電圧および非接触充電部８２の出力電圧の一方を選択し、この一方を電圧調整部８８に入力させる。
【００５６】
電圧調整部８８は入力された直流電圧を適切な値に調整（降圧または昇圧）して、調整後の直流電圧を電池６０に印加する。これにより電池６０が充電される。なお電圧調整が不要であれば、電圧調整部８８は設けられなくても構わない。
【００５７】
充電検出部７０は例えば電圧検出部７２，７４を備えている。電圧検出部７２は非接触充電部８２の出力電圧を検出して、その検出結果を制御部１０へと出力する。電圧検出部７４は充電用コネクタ８４の電圧を検出して、その検出結果を制御部１０へと出力する。非接触充電部８２の出力電圧が基準値よりも大きいときには、非接触充電部８２が非接触充電器８から電力を受け取っていると判定でき、同様に、充電用コネクタ８４の電圧が基準値よりも大きいときには、充電用コネクタ８４が接触充電器９から電力を受け取っていると判定できる。
【００５８】
制御部１０は、非接触充電部８２および充電用コネクタ８４の出力電圧がそれぞれ基準値よりも大きいか否かを判定し、その判定結果に応じて選択部８６を制御する。具体的には、充電用コネクタ８４の電圧が基準値よりも大きく、非接触充電部８２の出力電圧が基準値よりも小さい場合には、制御部１０は選択部８６を制御して、充電用コネクタ８４の電圧を電圧調整部８８に入力させる。つまりこの場合には、非接触充電器８が用いられておらず、接触充電器９からの電圧が充電用コネクタ８４に入力されているので、充電用コネクタ８４の電圧を用いて電池６０を充電するのである。
【００５９】
一方で、充電用コネクタ８４の電圧が基準値よりも小さく、非接触充電部８２の出力電圧が基準値よりも大きい場合には、制御部１０は選択部８６を制御して、非接触充電部８２の出力電圧を電圧調整部８８に入力させる。つまりこの場合には、接触充電器９が用いられておらず、非接触充電器８の上に電子機器１が置かれているので、充電用コイル８２ａの誘導起電力を用いて電池６０を充電するのである。
【００６０】
充電用コネクタ８４の電圧および非接触充電部８２の出力電圧の両方が基準値よりも大きい場合には、制御部１０は選択部８６を制御して、例えば充電用コネクタ８４の電圧を電圧調整部８８に入力させる。つまり接触充電器９および非接触充電器８の両方が用いられている場合には、例えば接触充電器９を優先的に採用するのである。
【００６１】
＜表示領域２ａ＞
制御部１０は充電検出部７０の検出結果に基づいて表示装置２０（表示領域２ａ）の表示を制御する。図８は制御部１０の動作の一例を示すフローチャートである。この動作は電子機器１が起動した状態（直流電源が各部に供給されて起動した状態、通常モードとも呼ぶ）で実行される。
【００６２】
まずステップＳ１にて、制御部１０は、充電器からの電力の伝送があるか否かを判定する。これは、充電検出部７０からの検出結果を用いて判定される。例えば電圧検出部７２，７４の少なくともいずれか一方が基準値を超える電圧を検出しているときに、制御部１０は充電器からの電力を受け取っていると判定する。ステップＳ１において否定的な判定がなされれば、再びステップＳ１を実行する。
【００６３】
ステップＳ１において肯定的な判定がなされれば、ステップＳ２にて、制御部１０は、非接触充電を行うか否かを判定する。これも充電検出部７０の検出結果を用いて判定される。例えば電圧検出部７２が基準値を超える電圧を検出しており、かつ、電圧検出部７４が基準値を下回る電圧を検出しているときに、制御部１０は非接触充電を行うと判定する。ステップＳ２において肯定的な判定がなされると、ステップＳ４にて制御部１０は非接触充電を行っている旨を、表示領域２ａのうち一部（例えばピクト表示領域２ｂ）のみにおいて表示する。例えば図９に示すように、非接触充電を行なっている旨を示す図形２２ａおよび文字２２ｂを表示する。図９の例示では、図形２２ａは黒丸に白抜きでＰが表示された図形であり、文字２２ｂは"Wireless Charging Enabled"である。
【００６４】
制御部１０は一定時間経過後に図形２２ａの表示を維持しつつ、文字２２ｂの表示を終了させても良い。一定時間の経過は周知のタイマー回路を用いることで計時できる。文字２２ｂの表示を終了させることで、文字２２ｂが表示されていた領域を他の通知に用いることができる。しかも、文字２２ｂの表示面積は図形２２ａの表示面積よりも大きいので、図形２２ａの表示を終了させる場合に比べて、他の通知に利用できる領域を広く採ることができる。
【００６５】
ステップＳ４の次のステップＳ５にて、制御部１０は、充電を行なっている旨を充電方法の区別無しに表示する。例えば図９に示すように、制御部１０はＬＥＤ表示部４０を制御して発光素子を発光させるとともに、ピクト表示領域２ｂのバッテリー残量を示す図形２２ｃを、充電を行なっていることを示す図形２２ｄに変更する。
【００６６】
一方で、ステップＳ２にて否定的な判定がなされたときには、ステップＳ３にて制御部１０は非接触充電を行っている旨の表示を行なうことなく、ステップＳ５を実行する。なおステップＳ３において制御部１０は実質的な動作を行なう必要がないので、ステップＳ３は設けられなくても構わない。
【００６７】
ステップＳ５の動作はステップＳ２の判定結果によらず実行されるので、ＬＥＤ表示部４０の発光および図形２２ｄの表示は、充電用コネクタ８４の電圧を用いた充電か、充電用コイル８２ａの誘導起電力を用いた充電か否かにかかわらず行なわれる。
【００６８】
ステップＳ５の次に、ステップＳ６，Ｓ７の動作と、ステップＳ８〜Ｓ１１の動作とを並行して行なう。これらの並行動作は例えば時分割で行なわれる。或いは、制御部１０が２つの動作を同時期に実行することができれば、同時期に行なってもよい。
【００６９】
ステップＳ６にて、制御部１０は充電器からの電力の伝送がなくなったか否かを判定する。これは、充電検出部７０の検出結果を用いて判定される。例えば電圧検出部７２，７４のいずれもが基準値を下回る電圧を検出しているときに、充電器からの電力の伝送がなくなったと判定する。ステップＳ６にて否定的な判断がなされると、未だ充電が行なわれていると判定して、再びステップＳ６を実行する。ステップＳ６にて肯定的な判断がなされると、充電が終了したと判定してステップＳ７を実行する。ステップＳ７においては、制御部１０はＬＥＤ表示部４０の発光を停止させ、ピクト表示領域２ｂにおいて図形２２ａ（必要であれば文字２２ｂ）の表示を終了し、図形２２ｄを図形２２ｃに切り替える。そして処理を終了する。つまり充電が終了すれば、充電用の表示も終了させるのである。
【００７０】
次にステップＳ８〜Ｓ１１の動作について説明する。なお、ステップＳ８〜Ｓ１１の動作は非接触充電が行われることを前提とした動作であるので、非接触充電が行われているときのみ実行してもよい。
【００７１】
ステップＳ８においては、制御部１０は、ステップＳ９の実行のトリガとなる操作があったか否かを判定する。この操作の有無は例えば操作キー５０，５２またはタッチパネル３０への操作への操作の有無によって判定される。なお、後に述べる他の操作についても導お湯であるので繰り返しの説明を避ける。
【００７２】
ここでは、次に説明する複数回の操作があったときにステップＳ９の実行のトリガとなる操作があったと判定する。例えば制御部１０は第１の操作を受けて表示領域２ａに通知画面（Notification Window）を表示する。通知画面とは、ピクト表示領域２ｂに表示された通知内容を表示するための画面である。第１の操作としては、例えば操作子を上側の領域外から表示領域２ａの内側へとスライドさせる操作を採用できる。この第１の操作はタッチパネル３０で検出される。
【００７３】
図１０は通知画面の一例を模式的に示す図である。この通知画面では、使用者に対する種々の通知が示される。例えば図１０では、無線ＬＡＮに接続する機能がオンになっているか否かを示す図形および文字を含む枠２４ａと、ＧＰＳ機能がオンになっている否を示す図形および文字を含む枠２４ｂとが表示されている。枠２４ａ，２４ｂの下方には、非接触充電を行なっていることを示す枠２４ｃも表示される。そして使用者による枠２４ｃに対する第２操作をタッチパネル３０で検出すると、ステップＳ８において肯定的な判定がなされる。第２操作としては、操作子を表示領域２ａの一部に近接させ、その後、操作子を表示領域２ａから離す操作（いわゆるタップ）を採用できる。
【００７４】
なお必ずしも複数回の操作を行なう必要はなく、任意の１回の操作を採用できる。例えば図９の図形２２ａあるいは文字２２ｂに対する操作（例えばタップ）を検出したときに、ステップＳ８において肯定的な判定を行ってもよい。
【００７５】
ステップＳ８にて否定的な判定がなされると再びステップＳ８を実行する。ステップＳ８にて肯定的な判定がなされると、ステップＳ９にて、制御部１０は、充電用コイル８２ａの中心位置を示すための画面（以下、充電画面と呼ぶ）の表示を行なう。充電画面は例えば表示領域２ａの全体（あるいは主領域の全体）に表示される。なおステップＳ９の直前において、例えばアプリケーションプログラムによって表示領域２ａに表示画面が表示されている場合には、そのアプリケーションを適宜に中断した上で、表示領域２ａに充電画面を表示するとよい。
【００７６】
図１１は充電画面の一例を模式的に示している。充電画面では充電用コイル８２ａの中心を示す情報（図１１では図形２６ａ）が表示される。本実施の形態では上述のように、平面視において、充電用コイル８２ａの中心Ｐ１が表示領域２ａの輪郭内に位置している。つまり、表示領域２ａには、平面視において充電用コイル８２ａの中心Ｐ１と一致する位置が存在する。よって制御部１０は、その位置において、中心Ｐ１を示す図形２６ａを表示する。図１１では図形２６ａは図形２２ａと同じであるものの、これらを異ならせても構わない。この表示により、使用者は充電用コイル８２ａの中心位置を認識することができる。よって使用者は充電用コイル８２ａの中心Ｐ１と充電器側コイル８ａの中心Ｐ２とを合わせるべく、電子機器１の位置を調整しやすい。
【００７７】
また制御部１０は充電画面において、充電用コイル８２ａの中心Ｐ１と充電器側コイル８ａの中心Ｐ２とを一致させることを、使用者に促す情報（図１１では文章２６ｂ）を表示しても良い。これにより、使用者は、充電用コイル８２ａの中心Ｐ１と充電器側コイル８ａの中心Ｐ２との位置を一致させる必要性を明確に認識することができる。
【００７８】
また制御部１０は充電画面において、非接触充電が行なわれている旨を示す情報（図１１では文字２６ｃ）を表示しても良い。文字２６ｃは例えば文字２２ｂ（図９）と同じである。なお、文字２２ｂ，２６ｃとして、例えば「非接触充電を実行中です。」あるいは「Wireless Charging」と表示しても良い。これにより、使用者は充電画面においても非接触充電が行なわれていることを明確に認識することができる。なお文字２６ｃとともに、或いは文字２６ｃに替えて、非接触充電が行なわれている旨を示す図形が表示されてもよい。
【００７９】
図１１の例示では、充電用コイル８２ａの中心Ｐ１と充電器側コイル８ａの中心Ｐ２とを一致させることを、文章２６ｂによって使用者に促した。しかるに文章２６ｂに替えて、或いは文章２６ｂとともに、図１２に示すように、図形２６ｅが表示されても良い。図形２６ｅは、充電用コイル８２ａの中心Ｐ１と充電器側コイル８ａの中心Ｐ２とを一致させることを、使用者に促すための図形である。
【００８０】
図１２の例示では、電子機器１を斜視図で模式的に示す平面２６１と、当該平面２６１の内部において図形２６ａを斜視図で示した図形２６２と、非接触充電器８を斜視図で模式的に示す平面２６３と、当該平面２６３の内部に斜視図で示された図形２６４とが、図形２６ｅにおいて表示されている。図形２６２，２６４が斜視図では見づらいので、これらを平面視で見た図形２６５，２６６も表示されている。図１２の例示では、図形２６２，２６５の対応を分かりやすくすべく、図形２６２側を始点とし、図形２６５側を終点とする矢印も示されている。図形２６４，２６６についても同様に矢印が示されている。この図形２６６は非接触充電器８において充電器側コイル８ａの中心Ｐ２の位置を示すものであり、非接触充電器８の主面（より詳細には充電器側コイル８ａの中心を示す位置）にも設けられていることが望ましい。これにより、図形２６６（２６４）が充電器側コイル８ａの中心を示していることが、使用者に理解できる。また図形２６ｅにおいて、斜視図の図形２６２，２６４の位置が互いに一致することを示す破線２６７も表示されている。
【００８１】
このような図形２６ｅにより、使用者は、電子機器１において図形２６ａが示された位置（つまり中心Ｐ１）と、非接触充電器８において図形２６６が示された位置（つまり中心Ｐ２）とを一致させる必要性を、直感的に理解できる。
【００８２】
なお図１１の例示では、充電用コイル８２ａを模式的に示す複数の同心円が破線で図示されている。これらの同心円を充電画面においても表示して構わない。これにより、図形２６ｅが充電用コイル８２ａの中心を示すことが直感的に理解できる。
【００８３】
また、充電用コイル８２ａの中心Ｐ１を示す図形２６ａに替えて、中心Ｐ１を示す文字が示されても良い。要するに、充電用コイル８２ａの中心Ｐ１を示す印が表示されればよい。
【００８４】
ステップＳ９の次のステップＳ１０にて、充電画面の表示を終了するトリガとなる第３操作が行なわれたか否かを判定する。例えば充電画面にはＣｌｏｓｅボタン２６ｄが表示されている。第３操作としては、例えばこのＣｌｏｓｅボタン２６ｄへの操作（例えばタップ）を採用することができる。ステップＳ１０にて否定的な判定がなされると、再びステップＳ１０を実行する。ステップＳ１０にて肯定的な判定がなされると、ステップＳ１１にて制御部１０は充電画面の表示を終了し、表示領域２ａをステップＳ９よりも前の表示画面に戻す。そして、再びステップＳ８を実行する。
【００８５】
以上のように本実施の形態では、非接触充電が行われた状態において、使用者による操作があったときに、充電用コイル８２ａの中心を示す図形２６ａ（或いは文字）が配置された充電画面を表示する。つまり、非接触充電を行ったとしても、使用者による操作がない場合には、充電画面を表示しない。よって、充電の直前までの表示画面が維持される。言い換えれば、充電の直前まで実行されていたアプリケーションプログラムが実行し続ける。
【００８６】
よって、使用者があるアプリケーションプログラムを電子機器１に実行させているときに、電池６０の充電量の不足を懸念して非接触充電を行っても、そのアプリケーションの実行を阻害しない。よって利便性を向上することができる。
【００８７】
しかも上述のように、非接触充電を行っている状態で使用者が所定の操作を行なえば、その操作に応じて充電用コイル８２ａの中心位置が表示される。これにより、使用者は充電用コイル８２ａの中心Ｐ１の位置を認識できる。よってこの中心Ｐ１を充電器側コイル８ａの中心Ｐ２に合わせやすい。
【００８８】
なお上述の例では、ステップＳ６，Ｓ７の動作と、ステップＳ８〜Ｓ１１の動作とは、並行して行なわれる。よって、ステップＳ９の充電画面の表示中に充電器からの電力の伝送が途絶えると、ステップＳ６にて肯定的な判定がなされるので、ステップＳ７にて充電画面の表示が終了する。これにより、表示領域２ａを速やかに元の表示に戻すことができる。
【００８９】
また、非接触充電を行っていないときにも、ステップＳ８〜Ｓ１１の動作を実行してもよい。このとき、非接触充電を行っていなくても、使用者による所定の操作によって、充電用コイル８２ａの中心が表示される。したがって、使用者は、非接触充電を行う前から充電用コイル８２ａの中心の位置を認識できる。よって、使用者は、充電用コイル８２ａおよび充電器側コイル８ａの中心位置を合わせながら、電子機器１を非接触充電器８に載置しやすい。例えば充電用コネクタ８４を用いた充電から非接触充電へと切り替えるときにも、予め充電用コイル８２ａの中心の位置を認識できるので、これらの中心位置を合わせながら電子機器１を載置しやすい。
【００９０】
＜非接触充電と充電用コネクタを用いた充電＞
非接触充電器８および接触充電器９の両方から電力の伝送があるときには、制御部１０は例えば接触充電器９を優先して用いる。より具体的には、制御部１０は選択部８６を制御して充電用コネクタ８４の電圧を電圧調整部８８へと入力する。
【００９１】
上述の動作に鑑みると、制御部１０は、ステップＳ９の充電画面を表示した状態で、接触充電器９からの電力の伝送がある、つまり充電用コネクタ８４に電圧の入力があると判定したときには、その充電画面の表示を終了し、表示領域２ａを元の表示画面に戻してもよい。これにより、実際の充電に応じた表示を速やかに行なうことができる。
【００９２】
より具体的な動作としては、例えば非接触充電中に行なわれるステップＳ８〜Ｓ１０の動作と並行して、制御部１０は、接触充電器９からの電力の伝送があるか否かを判定する。これは、充電検出部７０の検出結果に基づいて判定される。接触充電器９からの電力の伝送があると判定すると、制御部１０はステップＳ８〜Ｓ１０の動作を中止する。例えばステップＳ８の実行段階においては、制御部１０は以後のステップＳ８の動作を行なわない。また例えばステップＳ９，Ｓ１０を実行していれば、制御部１０は、充電画面の表示を終了して表示領域２ａを元の表示画面に戻し、その後、ステップＳ８〜Ｓ１１の動作を行なわない。
【００９３】
他方、再び接触充電器９が外されて非接触充電のみが行われる場合には、再びステップＳ８〜Ｓ１１の動作も行えばよい。
【００９４】
＜伝送効率についての表示＞
図１３に例示する電子機器１は、図２の電子機器１に比して、伝送効率検出部９０を更に備えている。伝送効率検出部９０は、充電用コイル８２ａの中心Ｐ１と充電器側コイル８ａの中心Ｐ２との間のズレ量に依存する伝送効率を検出する。例えば伝送効率が高いほど非接触充電部８２の出力電圧は大きいので、伝送効率検出部９０として電圧検出部７２を採用することができる。この場合、伝送効率検出部９０は充電検出部７０の一部として実現される。検出された伝送効率（例えば出力電圧）は制御部１０に入力される。
【００９５】
制御部１０は充電画面において伝送効率を示す情報も表示する。この充電効率は数値または図形によって表示される。以下により具体的な動作について説明する。
【００９６】
まず、充電用コイル８２ａの中心Ｐ１と充電器側コイル８ａの中心Ｐ２との位置が一致しているときの、伝送効率（ここでは出力電圧、以下、最大電圧と呼ぶ）を予め記憶しておく。例えば記憶部１０３に最大電圧を予め記憶する。
【００９７】
そして、ステップＳ９にて、制御部１０は、電圧検出部７２が検出した検出電圧を最大電圧で規格化した数値に基づいて、充電用画面において伝送効率も表示する。例えば規格化した数値をそのまま表示しても良い。これにより、使用者は伝送効率、即ち充電用コイル８２ａの中心Ｐ１と充電器側コイル８ａの中心Ｐ２の間のズレ量を認識できる。あるいは、図１４に例示するように、図形２６ｆを表示してもよい。図形２６ｆは当該数値を示す図形であり、例えば複数の長尺バーが積層されて構成されている。そして、制御部１０は伝送効率が高いほど順に下から長尺バーの色を変更する。使用者は、色の変更された長尺バーの数によって、伝送効率を認識できる。色が変更された長尺バーの数が多いほど、伝送効率は高い。
【００９８】
これによれば、使用者は充電画面の伝送効率（中心Ｐ１，Ｐ２のズレ量）を認識しながら電子機器１を調整することができ、中心Ｐ１，Ｐ２を合わせやすい。
【００９９】
上述の例では、伝送効率検出部９０として電圧検出部７２を例示した。しかるに、これに限らず、例えば伝送効率検出部９０は誘導起電力（交流電圧）の振幅（大きさ）を検出してもよい。伝送効率が高いほど当該振幅が大きいからである。或いは、伝送効率が大きいほど、充電用コイル８２ａから出力される交流電流の振幅が大きいので、伝送効率検出部９０として、当該交流電流または整流部８２ｂの出力側を流れる電流を検出する電流検出部を用いても良い。或いは伝送効率が大きいほど、充電用コイル８２ａに鎖交する磁束が大きいので、伝送効率検出部９０として、当該磁束を検出する磁気センサを用いてもよい。そして、中心Ｐ１，Ｐ２が一致するときの上記諸量（電流、磁束など）を規格値として予め記憶し、検出した諸量を規格値で規格化した数値に基づいて、伝送効率を表示すればよい。
【０１００】
＜スリープモード＞
制御部１０は、所定の時間を超えて操作を受けない場合に、電子機器１のモードを通常モードからスリープモードへと移行させる。通常モードとは、例えば表示装置２０が表示画面を表示している状態と把握することができる。スリープモードとは、通常モードよりも消費電力の小さいモードである。スリープモードにおいて、例えば制御部１０は表示装置２０の表示（点灯）を中断する。表示装置２０が液晶ディスプレイであれば、バックライトを消灯する。これにより、表示領域２ａには何も表示されなくなる一方で、バックライトによる消費電力を回避できる。またこの場合、表示領域２ａに対する操作も無効となる。
【０１０１】
そして、スリープモードを解除する操作（例えば操作キー５０への短期間の押下）を検出すると、制御部１０は電子機器１のモードをスリープモードから通常モードへと移行する。これにより、表示領域２ａの表示が復活すると共に、表示領域２ａに対する操作が有効となる。
【０１０２】
このような電子機器１において、スリープモードが採用された状態で例えば操作キー５０が押下されたとしても、制御部１０は充電画面を表示しなくてもよい。つまりスリープモードにおいて、制御部１０は充電画面の表示を禁止してもよい。これにより、消費電力の低減を優先することができる。
【０１０３】
＜変形例＞
上述の例では、ステップＳ４（図８）においてピクト表示領域２ｂに、非接触充電器８を用いた充電が行われる旨を示す図形２２ａおよび文字２２ｂを表示した。しかるに、ステップＳ４の実行時点で、所定のアプリケーションによって表示領域２ａの全体に表示画面が表示されている場合には、ピクト表示領域２ｂが表示されないので、図形２２ａおよび文字２２ｂも表示されなくてもよい。ただし、当該アプリケーションが中断または終了し、ピクト表示領域２ｂが表示される場合には、図形２２ａおよび文字２２ｂも表示することが望ましい。ステップＳ５で説明した図形２２ｄも同様である。
【０１０４】
第２の実施の形態．
電子機器１の操作キー５０には、電子機器１の通常モード／停止モード（言い換えれば電源の投入／遮断）の切り替え機能が割り当てられる。例えば当該操作キー５０が比較的長い期間にわたって押され続けたことを制御部１０が認識すると、電子機器１の通常モード／停止モードを切り替える。通常モードでは、制御部１０は電池６０からの直流電源を各部へと供給して各部を起動し、停止モードでは、各部（例えば無線通信部１１０、前面側撮像部１６０、裏面側撮像部１７０、表示装置２０およびタッチパネル３０など）への直流電源の供給を遮断して各部を停止させる。なお停止モードにおいても、いくつかの構成部には直流電源が供給される。例えば停止モードであっても制御部１０には直流電源が供給され、制御部１０は操作キー５０への操作を認識することができる。その他、必要な構成部への直流電源が供給される。また表示装置２０に着目すると、停止モードは、表示装置２０へと直流電圧が供給されていない状態、あるいは、表示画面を示す画像信号を表示装置２０へと出力していない状態と把握することができる。
【０１０５】
なお通常モードを消費電力が大きい状態であると把握すれば、停止モードは通常モードよりも消費電力が小さい状態であると把握することができる。また停止モードは上述のスリープモードよりも更に消費電力が小さい状態である。例えば停止モードで起動する構成部の数はスリープモードで起動する構成部の数よりも少ない。
【０１０６】
第１の実施の形態では、通常モードおよびスリープモードにおいて充電が行われたときの表示について述べた。第２の実施の形態では、停止モードにおいて充電が行われたときの表示について述べる。
【０１０７】
第２の実施の形態では、停止モードにおいても充電検出部７０は機能する。よって充電検出部７０の機能を発揮するために直流電源が必要であれば、停止モードにおいても、充電検出部７０には直流電源が供給される。
【０１０８】
図１５は、制御部１０の動作の一例を示すフローチャートである。ステップＳ１１，Ｓ１２はステップＳ１，Ｓ２と同じである。ステップＳ１２にて非接触充電器８を用いた充電が行われていると判定したときには、ステップＳ１４において制御部１０は非接触充電画面を表示する。なお、停止モードにおいて表示装置２０が起動していない場合には、制御部１０はまず表示装置２０へと直流電源を供給して起動した上で、表示装置２０に非接触充電用画面を表示させる。非接触充電画面には、平面視で充電用コイル８２ａの中心Ｐ１と一致する位置において、中心Ｐ１を示すための情報が含まれる。この非接触充電用画面としては、第１の実施の形態で述べた充電画面（図１１、図１２または図１４）を採用することができる。第１の実施の形態で説明した各種情報（図形または文字等）を、非接触充電用画面に含ませることができる。これらが奏する効果も第１の実施の形態で述べたとおりである。
【０１０９】
第２の実施の形態でも中心Ｐ１の位置が表示されるので、使用者は充電用コイル８２ａの中心Ｐ１を充電器側コイル８ａの中心に一致させやすい。
【０１１０】
なおステップＳ１４において、制御部１０はＬＥＤ表示部４０を制御してその発光素子を発光させてもよい。
【０１１１】
次にステップＳ１６において、制御部１０がステップＳ１４の実行から一定時間の経過を検出すると、ステップＳ１７において、表示装置２０を消灯する。一定時間の経過は周知のタイマー回路を用いて検出できる。表示装置２０の消灯は、例えば表示装置２０が液晶ディスプレイであれば、バックライトを消灯することで行なわれる。
【０１１２】
ステップＳ１２にて否定的な判定がなされたときには、ステップＳ１３にて制御部１０は通常充電用画面を表示する。なお、停止モードにおいて表示装置２０が起動していない場合には、制御部１０はまず表示装置２０へと直流電源を供給して起動した上で、表示装置２０に通常充電用画面を表示させる。通常充電用画面には、非接触充電か否かに拘わらず単に充電が行われている旨を示す表示が含まれる。図１６は通常充電用画面の一例を模式的に示す図である。図１６の例示では、表示領域２ａの略中央に図形２８ａが示される。図形２８ａは例えば図形２２ｃ或いは図形２２ｄと同様の図形である。
【０１１３】
図形２８ａ以外の領域の画素には表示用電圧を印加しなくてもよい。この場合、当該他の領域では黒色が表示される。
【０１１４】
このような通常充電用画面の表示により、使用者は充電が適切に行われていることを明確に認識できる。
【０１１５】
またステップＳ１３において、制御部１０はＬＥＤ表示部４０を制御してその発光素子を発光させてもよい。
【０１１６】
次にステップＳ１５において、制御部１０がステップＳ１３の実行から一定時間の経過を検出すると、ステップＳ１７において、制御部１０は表示装置２０を消灯する。
【０１１７】
このように、通常充電用画面または非接触充電用画面の表示は一定時間経過により消される。これにより、以後の消費電力を低減することができる。
【０１１８】
ステップＳ１７の次に、ステップＳ１８，Ｓ１９の判定を並行して行なう。ステップＳ１８において、制御部１０は充電確認の操作があったか否かを判定する。充電確認の操作としては、例えば操作キー５０への比較的短時間の押下を採用することができる。充電確認の操作がないと判定されると、再びステップＳ１８を実行し、充電確認の操作があったと判定されると、ステップＳ１３を実行する。つまり充電確認の操作があったときには、非接触充電が行われているか否かに拘わらず、通常充電用画面を表示するのである。
【０１１９】
停止モードでは電子機器１が使用者によって使用されていないと想定されるので、電子機器１の位置が変わりにくいと想定される。よって、最初の１回目の表示では、非接触充電用画面を表示することで電子機器１の位置を適切な位置（充電用コイル８２ａの中心Ｐ１と充電器側コイル８ａの中心Ｐ２とが一致する位置）へと移動させることを促し、以降の表示では通常充電用画面を表示しているのである。これにより、以降の表示においては、ステップＳ１２に相当する判定処理を省略することができ、通常充電用画面を簡易に表示することができる。
【０１２０】
上述の例では、充電用表示を最初の１回のみ表示しているが、例えば複数回の充電確認の操作に応じて非接触充電用画面を表示し、その後の充電確認の操作に応じて通常充電用画面を表示しても良い。より具体的には、制御部１０は、充電確認の操作をカウントし、その操作数が例えば所定の回数よりも少ない場合に非接触充電用画面を表示し、その操作数が例えば当該回数以上であるときに通常充電用画面を表示すればよい。
【０１２１】
また、図１５のフローチャートによれば、ステップＳ１４の非接触充電用画面を表示している最中において、充電確認の操作のあった場合には、ステップＳ１３の通電充電用画面は表示されない。つまり、制御部１０は、非接触充電用画面の表示を行っているときには、充電確認の操作を無効にする。これにより、適切に非接触充電用画面の表示を維持することができる。
【０１２２】
またステップＳ１３の通常充電用表示画面の表示中、或いはステップＳ１４の非接触充電用画面の表示中に、充電器からの電力の伝送が途絶えると、制御部１０はこれらの表示を終了して、表示装置２０を消灯してもよい。より具体的には、制御部１０は、ステップＳ１３，Ｓ１５，Ｓ１４，Ｓ１６の動作と並行して、ステップＳ１９に相当する動作を実行し、充電器からの電力が途絶えたときに、ステップＳ１３，Ｓ１５，Ｓ１４，Ｓ１６の動作を中止してステップＳ１７と同じ動作を実行すればよい。そして再びステップＳ１１の動作を実行する。
【０１２３】
また非接触充電器８および接触充電器９の両方からの電力の伝送があったときに、接触充電器９を用いて充電を行う場合には、次のように表示を制御してもよい。すなわち、ステップＳ１４の非接触充電用画面の表示中に、接触充電器９からの電力の伝送があったときには、制御部１０は非接触充電用画面の表示を終了する。より具体的には、制御部１０はステップＳ１４，Ｓ１６の動作と並行して、制御部１０は接触充電器９からの電力の伝送があったか否かを判定する。そして肯定的な判定がなされれば、ステップＳ１４，Ｓ１６を中止し、一定時間の経過を待たずに非接触用充電画面の表示を終了する。例えばステップＳ１７の動作を実行する。その後は、ステップＳ１８，Ｓ１９の動作を並行して行なう。
【０１２４】
このような動作により、速やかに非接触充電用画面の表示を終了させることができる。また以後も、充電確認の操作に応じて通常表示用画面を表示できる。
【０１２５】
なおスリープモードにおいては、第１の実施の形態で述べたように、充電確認の操作（操作キー５０の操作）があったとしても、制御部１０は充電画面（通常充電用画面も含む）の表示を行なわない。これにより、消費電力の低減を優先することができる。
【０１２６】
また上記の例では、本願発明を携帯電話機に適用する場合を例にあげて説明したが、本願発明は、スマートフォン等の携帯電話機以外の電子機器、例えばタブレット端末等にも適用することができる。
【０１２７】
以上のように、電子機器１は詳細に説明されたが、上記した説明は、全ての局面において例示であって、この発明がそれに限定されるものではない。また、上述した各種実施の形態および変形例は、相互に矛盾しない限り組み合わせて適用可能である。そして、例示されていない無数の変形例が、この発明の範囲から外れることなく想定され得るものと解される。
【符号の説明】
【０１２８】
１  電子機器
２ａ  表示領域
１０  制御部
２０  表示装置
３０  タッチパネル
５０  操作キー
８ａ  充電器側コイル
８２ａ  充電用コイル
８４  充電用コネクタ
８６  選択部
【図１】
2015188274.tif 000003
【図２】
2015188274.tif 000004
【図３】
2015188274.tif 000005
【図４】
2015188274.tif 000006
【図５】
2015188274.tif 000007
【図６】
2015188274.tif 000008
【図７】
2015188274.tif 000009
【図８】
2015188274.tif 000010
【図９】
2015188274.tif 000011
【図１０】
2015188274.tif 000012
【図１１】
2015188274.tif 000013
【図１２】
2015188274.tif 000014
【図１３】
2015188274.tif 000015
【図１４】
2015188274.tif 000016
【図１５】
2015188274.tif 000017
【図１６】
2015188274.tif 000018